(57)【特許請求の範囲】
【請求項１】
複数の加入者電話番号の中から選択した何れかの電話番号を発信元として電話発信を行う携帯端末装置であって、
電話発信を行う際に、前記複数の加入者電話番号の中から通信料金が安くなる加入者電話番号を判別する判別手段と、
この判別手段によって判別された加入者電話番号を選択して電話発信を行う発信手段と、
前記加入者電話番号別に割引サービスを享受可能な相手先の電話番号を対応付けて記憶管理する電話番号記憶手段とを具備し、
相手先を指定して電話発信を行う際に、前記判別手段は、指定された相手先の電話番号が割引サービスを享受可能な電話番号であれば、この相手先電話番号対応の加入者電話番号を通信料金の安い電話番号として判別する、
ことを特徴とする携帯端末装置。
【請求項２】
前記加入者電話番号別に時間帯別の利用料金を対応付けて記憶管理する料金記憶手段を設け、
前記判別手段は、現在日時に基づいて前記料金記憶手段を検索し、現時点の時間帯別通信料金を加入者電話番号毎に比較することによって料金の安い加入者電話番号を判別する、
ようにしたことを特徴とする請求項１記載の携帯端末装置。
【請求項３】
前記加入者電話番号別にその契約通信事業者を対応付けて記憶管理する事業者記憶手段を設け、
相手先を指定して電話発信を行う際に、前記判別手段は、その相手先電話番号の通信事業者を特定するほか、前記各加入者電話番号対応の通信事業者の中から前記特定した相手先の通信事業者と同一の通信事業者あるいは提携関係にある通信事業者を特定し、この通信事業者の加入者電話番号を通信料金の安い電話番号として判別する、
ようにしたことを特徴とする請求項１記載の携帯端末装置。
【請求項４】
複数の加入者電話番号の中から選択した何れかの電話番号を発信元として電話発信を行う携帯端末装置であって、
通信相手先別に複数の相手先電話番号を記憶管理すると共に、前記相手先電話番号別に割引サービスを享受可能な加入者電話番号を対応付けて記憶管理する電話番号記憶手段と、
前記複数の加入者電話番号の中から現在有効な発信用の電話番号を選択する選択手段と、
この選択手段によって現在選択されている加入者電話番号を発信元とし、かつ、相手先を指定して電話発信を行う際に、当該相手先に対応付けられている複数の相手先電話番号のうち、現在選択されている加入者電話番号との関係において通信料金の安い相手先電話番号を判別する判別手段と、
この判別手段によって判別された相手先電話番号宛に電話発信を行う発信手段とを具備し、
相手先を指定して電話発信を行う際に、前記判別手段は、この相手先の各電話番号に対応付けられている加入者電話番号のうち、現在選択されている加入者電話番号が割引サービスを享受可能な電話番号であれば、この加入者電話番号に対応する相手先電話番号を通信料金の安い電話番号として判別する、
ことを特徴とする携帯端末装置。
【請求項５】
前記相手先電話番号別にその契約通信事業者を対応付けて記憶管理する事業者記憶手段を設け、
相手先を指定して電話発信を行う際に、前記判別手段は、現在選択されている加入者電話番号の通信事業者を特定するほか、前記指定相手先の各電話番号に対応付けられている事業者の中から前記現在選択されている加入者電話番号の通信事業者と同一あるいは提携関係にある通信事業者を特定し、この通信事業者の相手先電話番号を通信料金の安い電話番号として判別する、
ようにしたことを特徴とする請求項４記載の携帯端末装置。
【請求項６】
複数の加入者電話番号の中から選択した何れかの電話番号を発信元として電話発信を行う携帯端末装置であって、
通信相手先別に複数の相手先電話番号を記憶管理する電話番号記憶手段と、
相手先を指定して電話発信を行う際に、当該相手先に対応付けられている複数の相手先電話番号と前記複数の加入者電話番号との間において通信料金の安い組み合わせを判別する判別手段と、
この判別手段によって相手先電話番号と加入者電話番号との組み合わせが判別された場合に、この加入者電話番号を発信元として、当該相手先電話番号を選択して電話発信を行う発信手段と、
を具備したことを特徴とする携帯端末装置。
【請求項７】
前記加入者電話番号別にその契約通信事業者のほか、相手先電話番号別にその契約通信事業者を記憶管理する事業者記憶手段を設け、
相手先を指定して電話発信を行う際に、前記判別手段は、加入者電話番号別の通信事業者と前記指定相手先の電話番号別の通信事業者とから通信料金の安い組み合わせを判別する、
ようにしたことを特徴とする請求項６記載の携帯端末装置。
【請求項８】
前記加入者電話番号別に割引サービスを享受可能な相手先の電話番号を記憶管理する電話番号記憶手段を設け、
相手先を指定して電話発信を行う際に、前記判別手段は、割引サービスの対象となる前記加入者電話番号と相手先電話番号の組み合わせを通信料金の安い組み合わせとして判別する、
ようにしたことを特徴とする請求項６記載の携帯端末装置。
【請求項９】
コンピュータに対して、
複数の加入者電話番号の中から選択した何れかの電話番号を発信元として電話発信を行う際に、前記複数の加入者電話番号の中から通信料金が安くなる加入者電話番号を判別する機能と、
判別された加入者電話番号を選択して電話発信を行う機能と、
前記加入者電話番号別に割引サービスを享受可能な相手先の電話番号を対応付けて記憶管理する機能と、
相手先を指定して電話発信を行う際に、指定された相手先の電話番号が割引サービスを享受可能な電話番号であれば、この相手先電話番号対応の加入者電話番号を通信料金の安い電話番号として判別する機能と、
を実現させるためのプログラム。
【請求項１０】
コンピュータに対して、
通信相手別に複数の相手先電話番号を記憶管理する機能と、
前記複数の加入者電話番号の中から現在有効な発信用の電話番号を選択する機能と、
現在選択されている加入者電話番号を発信元とし、かつ、相手先を指定して電話発信を行う際に、当該相手先に対応付けられている複数の相手先電話番号のうち、現在選択されている加入者電話番号との関係において通信料金の安い相手先電話番号を判別する機能と、
前記相手先電話番号別に割引サービスを享受可能な加入者電話番号を対応付けて記憶管理する機能と、
相手先を指定して電話発信を行う際に、この相手先の各電話番号に対応付けられている加入者電話番号のうち、現在選択されている加入者電話番号が割引サービスを享受可能な電話番号であれば、この加入者電話番号に対応する相手先電話番号を通信料金の安い電話番号として判別する機能と、
を実現させるためのプログラム。
【請求項１１】
コンピュータに対して、
複数の加入者電話番号を記憶管理するほか、通信相手先別に複数の相手先電話番号を記憶管理する機能と、
相手先を指定して電話発信を行う際に、当該相手先に対応付けられている複数の相手先電話番号と前記複数の加入者電話番号との間において通信料金の安い組み合わせを判別する機能と、
相手先電話番号と加入者電話番号との組み合わせが判別された場合に、この加入者電話番号を発信元として、当該相手先電話番号を選択して電話発信を行う機能と、
を実現させるためのプログラム。
【請求項１２】
複数の加入者電話番号の中から選択した何れかの電話番号を発信元として電話発信を行う携帯端末装置が実行する発信方法であって、
前記加入者電話番号別に割引サービスを享受可能な相手先の電話番号を対応付けて記憶管理する電話番号記憶ステップと、
電話発信を行う際に、前記複数の加入者電話番号の中から通信料金が安くなる加入者電話番号を判別する判別ステップと、
前記判別された加入者電話番号を選択して電話発信を行う発信ステップとを具備し、
相手先を指定して電話発信を行う際に、前記判別ステップにおいて、指定された相手先の電話番号が割引サービスを享受可能な電話番号であれば、この相手先電話番号対応の加入者電話番号を通信料金の安い電話番号として判別する、
ことを特徴とする発信方法。
【請求項１３】
複数の加入者電話番号の中から選択した何れかの電話番号を発信元として電話発信を行う携帯端末装置が実行する発信方法であって、
通信相手先別に複数の相手先電話番号を記憶管理すると共に、前記相手先電話番号別に割引サービスを享受可能な加入者電話番号を対応付けて記憶管理する電話番号記憶ステップと、
前記複数の加入者電話番号の中から現在有効な発信用の電話番号を選択する選択ステップと、
現在選択されている加入者電話番号を発信元とし、かつ、相手先を指定して電話発信を行う際に、当該相手先に対応付けられている複数の相手先電話番号のうち、現在選択されている加入者電話番号との関係において通信料金の安い相手先電話番号を判別する判別ステップと、
前記判別された相手先電話番号宛に電話発信を行う発信ステップとを具備し、
相手先を指定して電話発信を行う際に、前記判別ステップにおいて、この相手先の各電話番号に対応付けられている加入者電話番号のうち、現在選択されている加入者電話番号が割引サービスを享受可能な電話番号であれば、この加入者電話番号に対応する相手先電話番号を通信料金の安い電話番号として判別する、
ことを特徴とする発信方法。
【請求項１４】
複数の加入者電話番号の中から選択した何れかの電話番号を発信元として電話発信を行う携帯端末装置が実行する発信方法であって、
通信相手先別に複数の相手先電話番号を記憶管理する電話番号記憶ステップと、
相手先を指定して電話発信を行う際に、当該相手先に対応付けられている複数の相手先電話番号と前記複数の加入者電話番号との間において通信料金の安い組み合わせを判別する判別ステップと、
相手先電話番号と加入者電話番号との組み合わせが判別された場合に、当該加入者電話番号を発信元として、当該相手先電話番号を選択して電話発信を行う発信ステップと、
を具備することを特徴とする発信方法。
【発明の詳細な説明】
【技術分野】
【０００１】
この発明は、複数の加入者電話番号の中から選択した何れかの電話番号を発信元として電話発信を行う携帯端末装置、発信方法、及び、プログラムに関する。
【背景技術】
【０００２】
従来、加入者番号として複数の電話番号を利用可能な携帯端末装置としては、例えば、複数の電話番号を最寄りの基地局に登録しておくことで複数の加入者電話番号での同時待受を可能とした技術が知られている（特許文献１参照）。また、予め着信許可地域を登録しておくことで複数の加入者電話番号をビジネス用とプライベート用に使い分けることが可能な移動体通信システムが知られている（特許文献２参照）。
【特許文献１】特開２００３−１８９３６１号公報
【特許文献２】特開２００３−０１８６５７号公報
【発明の開示】
【発明が解決しようとする課題】
【０００３】
しかしながら、上述の特許文献１は、複数の加入者電話番号の中からユーザ自身が任意の電話番号を選択するようにしたものであり、特許文献２の技術は、複数の加入者電話番号をビジネス用とプライベート用に使い分ける場合に地域から電話番号の自動選択を行うようにしたものであった。
【０００４】
ところで、近年、携帯電話の分野でも販売競争が激化し、顧客獲得に向けて通信事業者毎に様々なサービスを実施している。例えば、「昼間」、「夜間」、「深夜・早朝」あるいは「曜日」などの時間帯に応じて利用料金を割り引いたり、通信距離に応じた利用料金を割り引くようにしているほか、通信相手先が家族の場合に通常料金を割り引く家族割引サービスを実施したり、通信頻度、通信距離に応じて複数の相手先番号を指定して登録しておくことによって通常料金を割り引く指定割引サービスなどを実施するようにしている。
【０００５】
ここで、複数の電話番号に加入している場合、電話発信を行う毎にどの電話番号を選択して発信するか意思決定する際に、現時点ではどの電話番号で発信した方が料金上有利であるかをユーザ自身の記憶を頼りに決定するようにしているが、複数の加入者電話番号が同一の通信事業者であれば、１枚の料金表を参照するだけでよく、比較的容易に決定することが可能となるが、通信事業者が異なる場合には通信事業者毎にそれらの料金表を比較検討しながら決定する必要があった。しかも、家族割引サービスあるいは指定割引サービスは、通信相手先が同一の通信事業者に加入していることを前提に行われるサービスであるため、この家族割引サービス／指定割引サービスを利用する場合には、相手先はどの通信事業者に加入しているかを覚えておく必要があった。このように料金上有利な電話番号を意思決定することは、極めて煩雑であるため、様々なサービスが提供されていたとしても、それらを有効に利用していないのが現状であった。
【０００６】
この発明の課題は、料金上有利な電話番号を自動選択して発信できるようにすることである。
【課題を解決するための手段】
【０００７】
請求項１記載の発明は、複数の加入者電話番号の中から選択した何れかの電話番号を発信元として電話発信を行う携帯端末装置であって、電話発信を行う際に、前記複数の加入者電話番号の中から通信料金が安くなる加入者電話番号を判別する判別手段と、この判別手段によって判別された加入者電話番号を選択して電話発信を行う発信手段と、前記加入者電話番号別に割引サービスを享受可能な相手先の電話番号を対応付けて記憶管理する電話番号記憶手段とを具備し、相手先を指定して電話発信を行う際に、前記判別手段は、指定された相手先の電話番号が割引サービスを享受可能な電話番号であれば、この相手先電話番号対応の加入者電話番号を通信料金の安い電話番号として判別することを特徴とする。
更に、コンピュータに対して、上述した請求項１記載の発明に示した主要機能を実現させるためのプログラムを提供する（請求項９記載の発明）。また、上述した請求項１記載の発明に示した主要機能を実現するための発信方法を提供する（請求項１２記載の発明）。
【０００８】
なお、上述した請求項１記載の発明は次のようなものであってもよい。
前記加入者電話番号別に時間帯別の利用料金を対応付けて記憶管理する料金記憶手段を設け、前記判別手段は、現在日時に基づいて前記料金記憶手段を検索し、現時点の時間帯別通信料金を加入者電話番号毎に比較することによって料金の安い加入者電話番号を判別する（請求項２記載の発明）。
【０００９】
前記加入者電話番号別にその契約通信事業者を対応付けて記憶管理する事業者記憶手段を設け、通信相手先を指定して電話発信を行う際に、前記判別手段は、その相手先電話番号の通信事業者を特定するほか、前記各加入者電話番号対応の通信事業者の中から前記特定した相手先の通信事業者と同一の通信事業者あるいは提携関係にある通信事業者を特定し、この通信事業者の加入者電話番号を通信料金の安い電話番号として判別する（請求項３記載の発明）。
【００１１】
請求項４記載の発明は、複数の加入者電話番号の中から選択した何れかの電話番号を発信元として電話発信を行う携帯端末装置であって、通信相手先別に複数の相手先電話番号を記憶管理すると共に、前記相手先電話番号別に割引サービスを享受可能な加入者電話番号を対応付けて記憶管理する電話番号記憶手段と、前記複数の加入者電話番号の中から現在有効な発信用の電話番号を選択する選択手段と、この選択手段によって現在選択されている加入者電話番号を発信元とし、かつ、相手先を指定して電話発信を行う際に、当該相手先に対応付けられている複数の相手先電話番号のうち、現在選択されている加入者電話番号との関係において通信料金の安い相手先電話番号を判別する判別手段と、この判別手段によって判別された相手先電話番号宛に電話発信を行う発信手段とを具備し、相手先を指定して電話発信を行う際に、前記判別手段は、この相手先の各電話番号に対応付けられている加入者電話番号のうち、現在選択されている加入者電話番号が割引サービスを享受可能な電話番号であれば、この加入者電話番号に対応する相手先電話番号を通信料金の安い電話番号として判別することを特徴とする。
更に、コンピュータに対して、上述した請求項４記載の発明に示した主要機能を実現させるためのプログラムを提供する（請求項１０記載の発明）。また、上述した請求項４記載の発明に示した主要機能を実現するための発信方法を提供する（請求項１３記載の発明）。
【００１２】
なお、上述した請求項４記載の発明は次のようなものであってもよい。
前記相手先電話番号別にその契約通信事業者を対応付けて記憶管理する事業者記憶手段を設け、相手先を指定して電話発信を行う際に、前記判別手段は、現在選択されている加入者電話番号の通信事業者を特定するほか、前記指定相手先の各電話番号に対応付けられている事業者の中から前記現在選択されている加入者電話番号の通信事業者と同一あるいは提携関係にある通信事業者を特定し、この通信事業者の相手先電話番号を通信料金の安い電話番号として判別する（請求項５記載の発明）。
【００１４】
請求項６記載の発明は、複数の加入者電話番号の中から選択した何れかの電話番号を発信元として電話発信を行う携帯端末装置であって、通信相手先別に複数の相手先電話番号を記憶管理する電話番号記憶手段と、相手先を指定して電話発信を行う際に、当該相手先に対応付けられている複数の相手先電話番号と前記複数の加入者電話番号との間において通信料金の安い組み合わせを判別する判別手段と、この判別手段によって相手先電話番号と加入者電話番号との組み合わせが判別された場合に、この加入者電話番号を発信元として、当該相手先電話番号を選択して電話発信を行う発信手段とを具備したことを特徴とする。
更に、コンピュータに対して、上述した請求項６記載の発明に示した主要機能を実現させるためのプログラムを提供する（請求項１１記載の発明）。また、上述した請求項６記載の発明に示した主要機能を実現するための発信方法を提供する（請求項１４記載の発明）。
【００１５】
なお、上述した請求項６記載の発明は次のようなものであってもよい。
前記加入者電話番号別にその契約通信事業者のほか、相手先電話番号別にその契約通信事業者を記憶管理する事業者記憶手段を設け、相手先を指定して電話発信を行う際に、前記判別手段は、加入者電話番号別の通信事業者と前記指定相手先の電話番号別の通信事業者とから通信料金の安い組み合わせを判別する（請求項７記載の発明）。
【００１６】
前記加入者電話番号別に割引サービスを享受可能な相手先の電話番号を記憶管理する電話番号記憶手段を設け、相手先を指定して電話発信を行う際に、前記判別手段は、割引サービスの対象となる前記加入者電話番号と相手先電話番号の組み合わせを通信料金の安い組み合わせとして判別する（請求項８記載の発明）。
【発明の効果】
【００１７】
請求項１記載の発明は、たとえ、通信事業者が加入者電話番号毎に異なっていたとしても、ユーザ自らが通信事業者毎の料金表を比較検討するまでもなく、料金上有利な加入者電話番号を自動選択して発信することができ、経済性と使い勝手の両方を満足させることが可能となる。
【００１８】
請求項４記載の発明は、通信相手先に複数の電話番号が存在している場合であっても、その中から料金上有利な相手先電話番号を現在選択の加入者電話番号を基に自動選択して発信することができる。
【００１９】
請求項６記載の発明は、通信相手先に複数の電話番号が存在している場合であっても、その中から料金上有利な相手先電話番号と加入者電話番号との組み合わせを自動選択して発信することができる。
【発明を実施するための最良の形態】
【００２０】
（実施例１）
以下、図１〜図６を参照して本発明の第１実施例を説明する。
この実施例は、携帯端末装置として携帯電話装置に適用した場合を例示したもので、図１は、この携帯電話装置の基本的な構成要素を示したブロック図である。
携帯電話装置は、通話機能、電子メール機能のほか、電話番号自動選択発信機能が備えられている。この電話番号自動選択発信機能は、自己の複数の加入者電話番号が記憶管理されている状態において、電話発信時に複数の加入者電話番号の中からその何れかを通信料金上有利な加入者電話番号として自動選択し、この加入者電話番号を現在有効な電話番号として電話発信を行うようにしたものである。その際、この相手先側においても複数の電話番号がある場合には、この相手先の複数の電話番号と複数の加入者電話番号の中から通信料金の安い組み合わせを特定し、この組み合わせに応じた加入者電話番号を発信元として、この相手先電話番号宛に電話発信を行うようにしている。
【００２１】
ＣＰＵ１は、記憶部２内の各種のプログラムに応じてこの携帯電話装置の全体動作を制御する中核的な中央演算処理装置であり、このメインＣＰＵ１のほか、この携帯電話装置には、機能別に複数のサブＣＰＵ（図示せず）を有する構成となっている。記憶部２は、不揮発性メモリ(内部メモリ)であり、例えば、フラッシュメモリなどによって構成され、プログラム領域とデータ領域とを有し、このプログラム領域には、後述する図５及び図６に示す動作手順に応じて本実施例を実現するためのプログラムが格納されている。また、記憶部２のデータ領域には、後述する加入者番号テーブル２１、アドレス帳２２などが格納されている。記録メディア３は、着脱自在な可搬型メモリで、画像データ、各種のデータ、プログラムなどを外部供給するもので、例えば、スマートメディア、ＩＣカードなどによって構成されている。メモリ４は、ワーク領域を有する内部メモリで、例えば、ＤＲＡＭ、ＳＤＲＡＭ（Synchronous DRAM）などによって構成されている。
【００２２】
電話通信部５は、無線部を構成するアンテナ５Ａに接続された送受信部（ベースバンド部）の受信側から信号を取り込んで受信ベースバンド信号に復調したのちに、音声制御部６を介して音声スピーカ７から音声出力させる。また、電話通信部５は、音声マイク８から入力された音声データを音声制御部６から取り込み、送信ベースバンド信号に符号化したのちに送受信部の送信側に与えられてアンテナ５Ａから発信出力させる。一方、電子メール機能、インターネット接続機能によって電話通信部５を介して受信取得した表示データは、表示制御部９を介してＬＣＤ（液晶表示装置）などを備えたメイン表示部１０に与えられて表示出力される。
【００２３】
メイン表示部１０は、文字情報、画像データ、各種のメッセージなどを高品位に表示し、装置本体の背面側に設けられたサブ表示部１１は、現在日時、簡易なメッセージ、アイコンなどを表示する。キー操作部１２は、ダイヤル入力、文字入力、コマンド入力などを行うもので、図２は、携帯電話装置の外観の概略斜視図を示したもので、このキーボード上には、電話発信／終了を指示する発信キー１２Ａ、ダイヤル入力などに使用されるテンキー１２Ｂなどが設けられている。ＣＰＵ１は、キー操作部１２からのキー入力信号に応じた処理を実行する。報知部１３は、着信報知などの報知用のスピーカ、ＬＥＤ(発光ダイオード)、振動モータを備え、電話・メール着信時に駆動されて着信報知を行うほか、アラーム報知時にも駆動される。
【００２４】
図３は、加入者テーブル２１を説明するための図である。
加入者テーブル２１は、複数の加入者電話番号などを記憶管理するテーブルであり、各レコードは、ユーザ操作によって任意に設定されたもので、「加入者番号」、「事業者名」、「指定割引対象の有無」、「指定割引対象の相手先番号」、「時間帯別通話料」の各項目を有する構成となっている。「加入者番号」は、通信事業者と利用契約を交わした加入者電話番号を示し、図示の例では、３種類の加入者番号を利用可能な場合を示している。以下、１レコード目〜３レコード目に対応する加入者番号を「加入者番号（１）」、「加入者番号（２）」、「加入者番号（３）」と呼称する。
【００２５】
「事業者名」は、この「加入者番号」の利用契約を交わした契約通信事業者を示し、「指定割引対象の有無」は、当該通信事業者が提供する顧客サービス（指定割引サービス）の対象有無を示している。なお、図中、１レコード目及び３レコード目に付されている○印は、指定割引サービスの対象であることを示し、２レコード目に付されている×印は、サービス対象外であることを示している。「指定割引対象の相手先番号」は、当該通信事業者側に指定割引サービスの対象であることが事前設定されている相手先電話番号を示し、予め決められている人数分の相手先電話番号が設定されている。
【００２６】
「時間帯別通話料」は、例えば、「昼」、「夜」あるいは、「昼」、「早朝・深夜」などの時間帯に応じた利用料金（単位時間当たりに課金される通話料金）を示している。この場合、ＣＰＵ１は、複数の加入者番号の中から選択した何れかの電話番号を発信元として電話発信を行う際に、加入者テーブル２１を参照し、各加入者番号毎に「時間帯別通話料」を比較することによって料金の安い加入者番号を判別し、この電話番号を選択して電話発信を行うようにしている。
【００２７】
なお、図示の例では、１レコード目及び２レコード目には「８時００分から１７時００分までの間」の利用料金として「３０円」が設定され、「１７時００分から翌朝８時００分までの間」の利用料金として「１５円」が設定されている場合を示している。また、３レコード目には、「早朝６時００分から深夜２３時００分までの間」の利用料金として「２０円」が設定され、「深夜２３時００分から早朝６時００分までの間」の利用料金として「１０円」が設定されている場合を示している。
【００２８】
図４は、アドレス帳２２を説明するための図である。
このアドレス帳２２は、通信相手先毎に複数の相手先電話番号などを記憶管理するテーブルであり、各レコードは、ユーザ操作によって任意に設定されたもので、「相手先の名前」、「第１の相手先番号」、「事業者名」、「第２の相手先番号」、「事業者名」の各項目を有する構成となっている。「第１の相手先番号」、「第２の相手先番号」は、相手先側で加入している複数の電話番号であり、それに対応する「事業者名」は、その利用契約を交わした契約通信事業者を示している。なお、図示の例では、１レコード目及び３レコード目には、複数の相手先番号が設定されているが、２レコード目には、１つの相手先番号のみが設定されている場合を示している。
【００２９】
このように加入者テーブル２１には複数の「加入者番号」などが記憶管理され、アドレス帳２２には、通信相手先別に複数の「相手先番号」などが記憶管理されている状態において、相手先を指定して電話発信を行う際に、ＣＰＵ１は、当該相手先に対応付けられている複数の相手先番号と複数の加入者番号との間において通信料金の安い組み合わせを選択し、この加入者番号を発信元として、当該相手先番号宛に電話発信を行うようにしている。ここで、「加入者番号」と「相手先番号」との関係において「通信事業者が同一の場合の割引サービス」、「指定割引サービス」が行われるが、その割引率／割引額の大きい順は、「事業者同一の割引サービス」＞「指定割引サービス」となっている。
【００３０】
次にこの実施例における携帯電話装置の動作概念を図５及び図６に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
【００３１】
図５及び図６は、相手先を指定して電話発信を行う際の動作を示したフローチャートであり、例えば、発信キー１２Ａがオフフック操作された際に実行開始される。この場合、発信キー１２Ａを操作したのち、相手先番号を指定するようにしているが、相手先番号を指定したのち発信キー１２Ａを操作してもよい。
この第１実施例では、上述した「事業者同一の割引サービス」、「指定割引サービス」、「時間帯別割引サービス」のうち、何れの割引サービスを提供するかは、その割引率／割引額の大きい順、つまり、「事業者同一の割引サービス」、「指定割引サービス」、「時間帯別割引サービス」の順とすることによって「事業者同一の割引サービス」を最優先するようにしている。
【００３２】
先ず、ＣＰＵ１は、発信キー１２Ａのオフフック操作後に、ユーザ操作によって相手先番号が指定されると（ステップＡ１）、この相手先番号はダイヤル入力によって指定されたのか否か、つまり、ダイヤル入力によって相手先番号が直接指定されたか、アドレス帳２２を利用して相手先番号が間接指定されたのかをチェックする（ステップＡ２）。いま、ダイヤル入力によって相手先番号が直接指定された場合であれば（ステップＡ２でＹＥＳ）、「事業者同一の割引サービス」を最優先させるために、入力された相手先番号は、アドレス帳２２に「第１の相手先番号」あるいは「第２の相手先番号」として設定されているかを調べる（ステップＡ３）。ここで、入力された相手先番号がアドレス帳２２に設定されていれば、この相手先番号に対応する「事業者名」がアドレス帳２２に設定されているかを調べる（ステップＡ４）。
【００３３】
なお、ユーザは相手先毎に、予めその相手側に対して電話番号の事業者名を問い合わせてアドレス帳２２に設定しておけばよいが、相手先によっては「事業者名」が未設定の場合もあり得るので、ステップＡ４でそのチェックを行うようにしている。ここで、相手先番号の「事業者名」が設定されていれば、ＣＰＵ１は、この「事業者名」を特定したのち（ステップＡ９）、この相手先番号の「事業者名」と同一事業者の「加入者番号」が加入者テーブル２１に存在しているかを調べ（ステップＡ１０）、同一事業者の「加入者番号」が有れば、同一事業者の「加入者番号」が複数設定されているかをチェックする（ステップＡ１１）。
【００３４】
例えば、相手先番号の「事業者名」を“Ａ”とすると、図３に示すように加入者テーブル２１の１レコード目及び２レコード目の「事業者名」が“Ａ”であるため、ステップＡ１１でそのことが検出されてステップＡ１２に移り、同一事業者の「加入者番号」毎に、当該相手先番号が「指定割引対象の相手先番号」として含まれているかをチェックし、何れかの「加入者番号」の指定割引の対象であれば（ステップＡ１２でＹＥＳ）、この「指定割引対象の相手先番号」に対応する「加入者番号」を発信用の電話番号として選択したのち（ステップＡ１４）、この「加入者番号」を発信元として相手先番号宛に電話発信を行う（ステップＡ８）。
【００３５】
また、同一事業者の「加入者番号」が１つであれば（ステップＡ１１でＮＯ）、この「加入者番号」を発信用の電話番号として選択するが（ステップＡ１３）、同一事業者の「加入者番号」が複数であっても、何れの「加入者番号」の指定割引対象でもなければ（ステップＡ１２でＮＯ）、この複数の「加入者番号」の中から何れかの「加入者番号」を発信用の電話番号として選択する（ステップＡ１５）。この場合、ランダム選択方式、先頭優先方式などによって何れかの「加入者番号」を自動選択するようにしている。そして、この「加入者番号」を発信元として相手先番号宛に電話発信を行う（ステップＡ８）。
【００３６】
また、相手先番号と事業者が同一の「加入者番号」が加入者テーブル２１に設定されていない場合、つまり、異なる事業者であれば（ステップＡ１０でＮＯ）、相手先番号は、「指定割引対象の相手先番号」であるかを調べ（ステップＡ１６）、割引対象であれば、ステップＡ１４に移り、この「指定割引対象の相手先番号」に対応する「加入者番号」を発信用の電話番号として選択するが、割引対象外であれば、何れかの「加入者番号」を発信用の電話番号として選択する（ステップＡ１７）。なお、この場合においても、ランダム選択方式、先頭優先方式などによって何れかの「加入者番号」を自動選択するようにしている。そして、この「加入者番号」を発信元として相手先番号宛に電話発信を行う（ステップＡ８）。
【００３７】
一方、入力された相手先番号がアドレス帳２２に「第１の相手先番号」あるいは「第２の相手先番号」として設定されていなければ（ステップＡ３でＮＯ）、「指定割引サービス」を優先させるために、ステップＡ５に移り、加入者テーブル２１の「指定割引対象の相手先番号」を参照し、入力された相手先番号は、指定割引サービスの対象となっているかを調べ、割引対象であれば（ステップＡ５でＹＥＳ）、「指定割引対象の相手先番号」に対応する「加入者番号」を発信用の電話番号として選択したのち（ステップＡ１４）、この「加入者番号」を発信元として相手先番号宛に電話発信を行う（ステップＡ８）。
【００３８】
また、「指定割引サービス」の対象外であれば（ステップＡ５でＮＯ）、「時間帯別割引サービス」を提供するために、ステップＡ６に移り、現在時刻（システム日時）を取得したのち、加入者テーブル２１に記憶管理されている「時間帯別通話料」の中から現在時刻に該当する時間帯を「加入者番号」毎に特定し、この「加入者番号」毎の「時間帯別通話料」を比較することによって最も料金の安い「加入者番号」を発信用の電話番号として選択する（ステップＡ７）。
【００３９】
例えば、図３に示すような加入者テーブル２１であれば、「６時００分から８時００分までの間」では、「加入者番号（１）あるいは（２）」の利用料金「１５円」が最も安く、「８時００分から１７時００分までの間」では、「加入者番号（３）」の利用料金「２０円」、「１７時００分から２３時００分までの間」では、「加入者番号（１）あるいは（２）」の利用料金「１５円」、「２３時００分から６時００分までの間」では、「加入者番号（３）」の利用料金「１０円」が最も安くなり、この「加入者番号」が発信用の電話番号として選択される。そして、この「加入者番号」を発信元として相手先番号宛に電話発信を行う（ステップＡ８）。
【００４０】
このようにダイヤル入力で相手先番号が直接指定された場合には、複数の「加入者番号」の中から料金が安くなる加入者番号を選択して電話発信を行うが、相手先番号がダイヤル入力で指定されたのではなく、アドレス帳２２を利用して相手先番号が間接指定された場合、つまり、アドレス帳２２から読み出された各相手先の名前一覧から任意の相手名前を選択することによって当該相手先番号を指定した場合には（ステップＡ２でＮＯ）、図６のフローに移る。先ず、ＣＰＵ1は、この相手先に対応して複数の電話番号がアドレス帳２２に設定されているかを調べ（ステップＡ１８）、その相手先の電話番号が１つであれば、上述した場合と同様に、「事業者同一の割引サービス」を最優先させるために、ステップＡ２７に移り、相手先番号に対応して「事業者名」がアドレス帳２２に設定されているかを調べる。
【００４１】
ここで、「事業者名」が設定されていれば（ステップＡ２７でＹＥＳ）、この相手先番号の「事業者名」と同一事業者の「加入者番号」が加入者テーブル２１に存在しているかを調べ（ステップＡ２９）、同一事業者の「加入者番号」が有れば、この「加入者番号」を発信用の電話番号として選択するが（ステップＡ３０）、同一事業者の「加入者番号」が無ければ（ステップＡ２９でＮＯ）、複数の「加入者番号」の中からその何れかの「加入者番号」を発信用の電話番号として選択する（ステップＡ３１）。そして、相手先番号を宛先として選択したのち（ステップＡ３２）、選択した「加入者番号」を発信元として当該相手先番号宛に電話発信を行う（ステップＡ２２）。
【００４２】
また、相手先番号対応の「事業者名」が未設定であれば（ステップＡ２７でＮＯ）、加入者テーブル２１の「指定割引対象の相手先番号」を参照し、当該相手先番号は、指定割引サービスの対象であるかを調べる（ステップＡ２８）。割引対象であれば、ステップＡ２４に移り、当該「指定割引対象の相手先番号」と、それに対応する「加入者番号」を選択したのち、この「加入者番号」を発信元として相手先番号宛に電話発信を行う（ステップＡ２２）。また、指定割引サービスの対象外であれば（ステップＡ２８でＮＯ）、「指定割引対象の相手先番号」に対応する「加入者番号」を発信用の電話番号として選択すると共に（ステップＡ３１）、この相手先番号を宛先として選択したのち（ステップＡ３２）、この「加入者番号」を発信元として当該相手先番号宛に電話発信を行う（ステップＡ２２）。
【００４３】
一方、相手先の電話番号がアドレス帳２２に複数設定されている場合には（ステップＡ１８でＹＥＳ）、複数の相手先番号と複数の加入者番号との間において料金の安い組み合わせを選択し、この加入者番号を発信元として当該相手先番号宛に電話発信を行う。すなわち、ＣＰＵ１は、先ず、当該複数の「相手先番号」の何れかに対応して「事業者名」が設定されているかをチェックし（ステップＡ１９）、「事業者名」が設定されていれば、この相手先番号の「事業者名」と同一事業者の「加入者番号」が加入者テーブル２１に存在しているかを調べる（ステップＡ２５）。ここで、同一事業者の「加入者番号」が有れば、この「加入者番号」と「相手先番号」との組み合わせが最も料金が安くなる組み合わせであるとして当該「加入者番号」、「相手先番号」を選択し（ステップＡ２６）、この加入者番号を発信元として、当該相手先番号宛に電話発信を行う（ステップＡ２２）。
【００４４】
また、同一事業者の「加入者番号」が無ければ（ステップＡ２５でＮＯ）、この複数の「相手先番号」に対応する「指定割引対象の有無」を参照し、何れかの「相手先番号」が指定割引の対象となっているかをチェックし（ステップＡ２３）、割引対象の相手先番号があれば、この割引対象の「相手先番号」と対応する「相手先番号」との組み合わせが最も料金が安くなる組み合わせであるとして当該「加入者番号」、「相手先番号」を選択し（ステップＡ２４）、この加入者番号を発信元として当該相手先番号宛に電話発信を行う（ステップＡ２２）。また、同一事業者の「加入者番号」が存在せず、しかも、何れかの「相手先番号」も割引対象外であれば（ステップＡ２３でＮＯ）、ステップＡ２１に移り、何れかの「加入者番号」と何れかの「相手先番号」を選択する。この場合、ランダム選択方式、先頭優先方式などによって自動選択するようにしている。そして、この加入者番号を発信元として当該相手先番号宛に電話発信を行う（ステップＡ２２）。
【００４５】
一方、何れの「相手先番号」にも「事業者名」が未設定であれば（ステップＡ１９でＮＯ）、何れかの「相手先番号」が指定割引の対象となっているかをチェックし（ステップＡ２０）、割引対象の相手先番号があれば、この「相手先番号」とそれに対応する「加入者番号」との組み合わせが最も料金が安くなる組み合わせであるとして当該「加入者番号」、「相手先番号」を選択するが（ステップＡ２４）、何れも割引対象外であれば（ステップＡ２０でＮＯ）、何れかの「加入者番号」と何れかの「相手先番号」を選択する（ステップＡ２１）。そして、この加入者番号を発信元として当該相手先番号宛に電話発信を行う（ステップＡ２２）。
【００４６】
以上のように、この実施例においてＣＰＵ１は、加入者テーブル２１に記憶管理されている複数の加入者番号の中から通信料金が安くなる加入者番号を判別し、この加入者番号を選択して電話通信部５から電話発信を行うようにしたから、たとえ、通信事業者が加入者番号毎に異なっていたとしても、ユーザ自らが通信事業者別の料金表を比較検討するまでもなく、料金上有利な加入者番号を自動選択して発信することができ、経済性と使い勝手の両方を満足させることが可能となる。この場合、加入者テーブル２１には、加入者番号毎に「時間帯別通話料」が記憶管理されており、ＣＰＵ１は、現時点の時間帯別通信料金を比較することによって料金の安い加入者番号を判別するようにしたから、昼間、夜間、深夜・早朝などの時間帯に応じた利用料金が加入者番号毎に異なる場合でも、現時点で料金上有利な加入者番号を自動選択して発信することができる。
【００４７】
また、相手先を指定して電話発信を行う際に、ＣＰＵ１は、相手先番号の通信事業者を特定するほか、各加入者番号対応の通信事業者の中から相手先の通信事業者と同一の通信事業者を特定し、この通信事業者の加入者番号を通信料金の安い電話番号として判別するようにしたから、相手先側の通信事業者との関係を考慮して料金上有利な加入者番号を自動選択して発信することができる。また、加入者テーブル２１には、各加入者番号別に指定割引サービスを享受可能な相手先番号が記憶管理されており、相手先を指定して電話発信を行う際に、指定された相手先番号が割引サービスを享受可能な電話番号であれば、当該相手先番号対応の加入者番号を通信料金の安い電話番号として判別するようにしたから、通信相手先が誰かによって指定割引サービスなどを享受可能な加入者番号を自動選択することができる。
【００４８】
また、加入者テーブル２１には複数の加入者番号が記憶管理されていると共に、アドレス帳２２には、通信相手先別に複数の相手先番号が記憶管理されている状態において、相手先を指定して電話発信を行う際に、当該相手先に対応付けられている複数の相手先番号と複数の加入者番号との間において通信料金の安い組み合わせを判別し、この加入者番号を発信元として、この相手先番号宛に電話発信を行うようにしたから、通信相手先に複数の電話番号が存在している場合であっても、その中から料金上有利な相手先番号と加入者番号との組み合わせ自動選択して発信することができる。
【００４９】
この場合、加入者番号別の通信事業者と指定相手先の電話番号別の通信事業者とから通信料金の安い組み合わせを判別するようにしたから、通信事業者を考慮して料金上有利な相手先番号と加入者番号とを自動選択して発信することができる。また、加入者テーブル２１には、加入者番号別に指定割引サービスを享受可能な相手先電話番号が記憶管理されており、相手先を指定して電話発信を行う際に、ＣＰＵ１は、指定割引サービスの対象となる加入者番号と相手先番号の組み合わせを通信料金の安い組み合わせとして判別するようにしたから、割引サービスを考慮して料金上有利な相手先番号と加入者番号とを自動選択して発信することができる。
（実施例２）
【００５０】
以下、この発明の第２実施例について図７を参照して説明する。
なお、上述した第１実施例においては、複数の加入者番号が記憶管理されている状態において、電話発信時に複数の加入者番号の中からその何れかを料金上有利な加入者番号として自動選択するようにしたが、この第２実施例においては、複数の加入者番号の中から現在有効な発信用の番号として何れかの加入者番号が事前選択されている状態において、相手先を指定して電話発信を行う際に、この相手先にも複数の電話番号があれば、複数の相手先番号のうち、現在選択されている加入者番号との関係において料金の安い相手先番号を選択し、この相手先番号宛に電話発信を行うようにしたものである。
ここで、両実施例において基本的あるいは名称的に同一のものは、同一符号を付して示し、その説明を省略すると共に、以下、第２実施例の特徴部分を中心に説明するものとする。
【００５１】
図７は、相手先を指定して電話発信を行う際の動作を示したフローチャートであり、図５及び図６と同様、発信キー１２Ａがオフフック操作された際に実行開始される。この場合においても第１実施例と同様に、発信キー１２Ａを操作したのち、相手先番号を指定するようにしているが、相手先番号を指定したのち発信キー１２Ａを操作してもよい。
この第２実施例では、上述した「事業者同一の割引サービス」、「指定割引サービス」のうち、何れの割引サービスを提供するかは、その割引率／割引額の大きい順、つまり、「指定割引サービス」、「事業者同一の割引サービス」の順とし、「指定割引サービス」を優先するようにしている。また、複数の加入者番号の中からその何れかを現在有効な発信用の加入者番号として選択する場合には、ユーザ操作によって選択する手動選択方式のほか、ランダム選択方式、先頭優先方式などの自動選択方式で行うようにしてもよい。
【００５２】
先ず、ＣＰＵ１は、ユーザ操作によって相手先番号が指定されると（ステップＢ１）、この相手先番号はアドレス帳２２を利用して相手名前で指定されたのかをチェックする（ステップＢ２）。いま、ダイヤル入力による相手先番号の直接指定であれば（ステップＢ２でＮＯ）、この相手先に複数の電話番号が存在していても、ユーザ指定された相手先番号を宛先として選択したのち（ステップＢ１２）、現在有効番号として事前選択されている加入者番号を発信元として当該相手先番号宛に電話発信を行う（ステップＢ８）。
【００５３】
また、アドレス帳２２を利用した相手名前でその相手先番号が間接指定された場合には（ステップＢ２でＹＥＳ）、その相手先に対応してアドレス帳２２には複数の電話番号が設定されているかをチェックし（ステップＢ３）、相手先番号が１つであれば、この相手先番号を宛先として選択したのち（ステップＢ１１）、事前選択されている加入者番号を発信元として、当該相手先番号宛に電話発信を行う（ステップＢ８）。また、相手先番号が複数あれば（ステップＢ３でＹＥＳ）、各「相手先番号」に対応する「指定割引対象の有無」を参照し、その何れかの「相手先番号」が、事前選択されている加入者番号の指定割引サービスの対象となっているかをチェックし（ステップＢ４）、割引対象の相手先番号が有れば、この割引対象となっている相手先番号を宛先として選択したのち（ステップＢ１０）、事前選択されている加入者番号を発信元として当該相手先番号宛に電話発信を行う（ステップＢ８）。
【００５４】
一方、複数の相手先番号の何れも割引対象外であれば（ステップＢ４でＮＯ）、アドレス帳２２を参照し、この複数の相手先番号の何れかに「事業者名」が設定されているかを調べ（ステップＢ５）、何れの相手先番号にも「事業者名」が設定されていなければ（ステップＢ５でＮＯ）、複数の相手先番号の中から何れかの相手先番号を選択する（ステップＢ９）。この場合、ランダム選択方式、先頭優先方式などによって何れかの相手先番号が自動選択される。そして、事前選択されている加入者番号を発信元として当該相手先番号宛に電話発信を行う（ステップＢ８）。
【００５５】
また、何れかの相手先番号に「事業者名」が設定されていれば（ステップＢ５でＹＥＳ）、複数の相手先番号のうち、事前選択されている加入者番号の「事業者名」と同一事業者の相手先番号があるかを調べ（ステップＢ６）、加入者番号の事業者と相手先番号の事業者が全て異なる場合には（ステップＢ６でＮＯ）、上述のステップＢ９に移り、何れかの相手先番号を選択するが、同一事業者の相手先番号があれば（ステップＢ６でＹＥＳ）、この相手先番号を宛先として選択したのち（ステップＢ７）、事前選択されている加入者番号を発信元として当該相手先番号宛に電話発信を行う（ステップＢ８）。
【００５６】
以上のように、この第２実施例においてＣＰＵ１は、相手先別に複数の電話番号がアドレス帳２２に記憶管理されている状態において、事前選択されている加入者番号を発信元として電話発信を行う際に、この相手先に対応付けられている複数の相手先電話番号のうち、事前選択されている加入者番号との関係において料金の安い相手先番号を判別し、この相手先番号宛に電話発信を行うようにしたから、相手先に複数の電話番号が存在している場合であっても、その中から料金上有利な相手先番号を事前選択されている加入者番号を基に自動選択して発信することができる。
【００５７】
この場合、複数の相手先番号の中から何れかの相手先番号を選択する場合に、ＣＰＵ１は、事前選択されている加入者番号の事業者と同一の事業者を特定し、この事業者の相手先番号を料金の安い電話番号として判別するようにしたから、事業者を考慮して、料金上有利な相手先番号を自動選択して発信することができる。また、複数の相手先番号の中から何れかの相手先番号を選択する場合に、事前選択されている加入者番号との関係において、割引サービスを享受可能な相手先番号があれば、この相手先番号を料金の安い電話番号として判別するようにしたから、指定割引サービスを享受可能な相手先番号を自動選択することができる。
【００５８】
なお、上述した各実施例においては、「事業者同一の割引サービス」の場合を例示したが、事業者が同一でなくても、提携関係にある事業者同士であれば、割引サービスを行うようにしてもよい。また、第１実施例において「時間帯別割引サービス」は、「昼」、「夜」あるいは、「昼」、「早朝・深夜」に限らず、「曜日」、「月」、その他の「期間」などに応じて割引サービスを行うようにしてもよい。「事業者同一の割引サービス」、「指定割引サービス」、「時間帯別割引サービス」に限らず、例えば、利用状況、ポイントなどに応じた割引サービスであってもよい。
【００５９】
上述した各実施例においては、自己の複数の加入者番号を加入者テーブル２１に記憶管理するようにしたが、複数のＵＩＭ（User Identity Module）カードが着脱可能な携帯電話装置にあっては、複数の加入者番号の中から選択した加入者番号が記録されているＵＩＭカードを差しこむべきことを案内出力するようにしてもよい。
また、上述した各実施例においては、アドレス帳２２に相手先番号を記憶管理しておき、相手先に複数の電話番号があれば、その中から料金上有利な相手先番号を選択するようにしたが、相手先毎に複数の電話番号を記憶管理しておかず、複数の相手先番号の中から何れかの相手先番号を選択する際に、サービスセンタ側に通信接続して相手先番号の選択を依頼するようにしてもよい。
その他、携帯電話装置に限らず、例えば、電話機能付きのＰＤＡ、電子カメラ、電子腕時計、音楽再生機などの携帯端末装置であっても同様に適用可能である。
【図面の簡単な説明】
【００６０】
【図１】携帯端末装置として適用した携帯電話装置の基本的な構成要素を示したブロック図。
【図２】携帯電話装置の外観の概略斜視図を示した図。
【図３】加入者テーブル２１を説明するための図。
【図４】アドレス帳２２を説明するための図。
【図５】相手先を指定して電話発信を行う際に、発信キー１２Ａのオフフック操作に応じて実行開始されるフローチャート。
【図６】図５に続く、フローチャート。
【図７】第２実施例において、相手先を指定して電話発信を行う際に発信キー１２Ａのオフフック操作に応じて実行開始されるフローチャート。
【符号の説明】
【００６１】
１  ＣＰＵ
２  記憶部
５  電話通信部
６  音声制御部
７  音声スピーカ
８  音声マイク
１０、１１  表示部
１２  キー操作部
２１  加入者テーブル
２２  アドレス帳
【図１】
0004747005.tif 000002
【図２】
0004747005.tif 000003
【図３】
0004747005.tif 000004
【図４】
0004747005.tif 000005
【図５】
0004747005.tif 000006
【図６】
0004747005.tif 000007
【図７】
0004747005.tif 000008